(57)【要約】      （修正有）【課題】第１通信装置が第２通信装置経由でインターネット接続できるようにする。【解決手段】無線ＬＡＮ通信が行える第１通信装置１と、第１通信装置１との間で無線ＬＡＮ通信が行えるとともにインターネット接続可能な携帯電話回線に接続できる第２通信装置２と、を備え、第１通信装置１は、ＤＨＣＰパケットを、無線ＬＡＮ通信で前記第２通信装置へ送信するＤＨＣＰサーバを備え、第２通信装置２は、ＤＨＣＰサーバが無線ＬＡＮ通信で第２通信装置２へ送信するＤＨＣＰパケットは、第２通信装置２に割り当てられるＩＰアドレスを含むが、デフォルトゲートウェイアドレスを含まず、ＤＨＣＰパケットによってＩＰアドレスの割り当てを受けた第２通信装置２は、デフォルトゲートウェイアドレスの指定を受けていないことで、無線ＬＡＮ通信を行いつつ、インターネット接続可能な携帯電話回線へ接続するようになる。【選択図】図１
2015126231.tif 000002
【特許請求の範囲】
【請求項１】
無線ＬＡＮ通信が行える第１通信装置と、
前記第１通信装置との間で無線ＬＡＮ通信が行えるとともにインターネット接続可能な携帯電話回線に接続できる第２通信装置と、を備え、
前記第１通信装置は、無線ＬＡＮアクセスポイントとして機能するためのアクセスポイントモードで動作するよう構成され、
前記第１通信装置は、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）パケットを、無線ＬＡＮ通信で前記第２通信装置へ送信するＤＨＣＰサーバを更に備え、
前記第２通信装置は、無線ＬＡＮ及び携帯電話回線のいずれによる通信でもデフォルトゲートウェイアドレスの指定を受けることができるよう構成されているとともに、無線ＬＡＮ通信においてデフォルトゲートウェイアドレスの指定を受けると、携帯電話回線による通信を行わず、無線ＬＡＮ通信を行うよう構成され、
前記ＤＨＣＰサーバが無線ＬＡＮ通信で前記第２通信装置へ送信する前記ＤＨＣＰパケットは、前記第２通信装置に割り当てられるＩＰアドレスを含むが、デフォルトゲートウェイアドレスを含まず、
前記ＤＨＣＰパケットによってＩＰアドレスの割り当てを受けた前記第２通信装置は、デフォルトゲートウェイアドレスの指定を受けていないことで、無線ＬＡＮ通信を行いつつ、インターネット接続可能な携帯電話回線へ接続するようになる
通信システム。
【請求項２】
無線ＬＡＮ通信が行える第１通信装置と、
前記第１通信装置との間で無線ＬＡＮ通信が行えるとともにインターネット接続可能な携帯電話回線に接続できる第２通信装置と、
を備え、
前記第１通信装置は、無線ＬＡＮアクセスポイントとして機能するためのアクセスポイントモード、及び無線ＬＡＮアクセスポイントにアクセスするためのクライアントモードのいずれでも動作可能に構成されているとともに、初期設定において実行されるモードが、前記アクセスポイントモードであり、
前記第２通信装置は、無線ＬＡＮアクセスポイントとして機能するためのアクセスポイントモード、及び無線ＬＡＮアクセスポイントにアクセスするためのクライアントモードのいずれでも動作可能に構成され、
クライアントモードで動作する前記第２通信装置は、アクセスポイントモードで動作している前記第１通信装置に対して、無線ＬＡＮ通信によって、前記第１通信装置が前記第２通信装置へ接続するための接続情報を通知するよう構成され、
前記第１通信装置は、前記接続情報の通知を受けた後に、アクセスポイントモードからクライアントモードに切り替わり、前記接続情報を用いて、アクセスポイントモードで動作する前記第２通信装置に接続し、前記第２通信装置経由でインターネットに接続するよう構成されている
通信システム。
【請求項３】
前記第１通信装置は、クライアントモードに切り替わっても前記第２通信装置への接続が成功しない場合には、アクセスポイントモードに戻るよう構成されている
請求項２記載の通信システム。
【請求項４】
前記第１通信装置は、車載ネットワークに接続された車載器である
請求項１〜３のいずれか１項に記載の通信システム。
【請求項５】
前記第１通信装置は、前記車載ネットワークから受信した受信情報を、前記第２通信装置による処理に適合させるために変換する変換テーブルを用いて変換し、変換された受信情報を前記第２処理装置へ送信する
請求項４記載の通信システム。
【請求項６】
前記第１通信装置は、前記車載器が搭載された車両の種類に応じた前記変換テーブルを、前記第２通信装置を経由して、インターネット上のサーバから取得するよう構成されている
請求項５記載の通信システム。
【請求項７】
無線ＬＡＮ通信が行える第１通信装置を、無線ＬＡＮ通信が行えるとともにインターネット接続可能な携帯電話回線に接続できる第２通信装置を経由して、インターネットに接続させる通信方法であって、
前記第１通信装置が、無線ＬＡＮアクセスポイントとして機能するためのアクセスポイントモードで動作し、
前記第１通信装置が、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）パケットを、無線ＬＡＮ通信で前記第２通信装置へ送信する、
ことを含み、
前記第２通信装置は、無線ＬＡＮ及び携帯電話回線のいずれによる通信でもデフォルトゲートウェイアドレスの指定を受けることができるよう構成されているとともに、無線ＬＡＮ通信においてデフォルトゲートウェイアドレスの指定を受けると、携帯電話回線による通信を行わず、無線ＬＡＮ通信を行うよう構成され、
前記第１通信装置が、無線ＬＡＮ通信で前記第２通信装置へ送信する前記ＤＨＣＰパケットは、前記第２通信装置に割り当てられるＩＰアドレスを含むが、デフォルトゲートウェイアドレスを含まず、
前記ＤＨＣＰパケットによってＩＰアドレスの割り当てを受けた前記第２通信装置が、デフォルトゲートウェイアドレスの指定を受けていないことで、無線ＬＡＮ通信を行いつつ、インターネット接続可能な前記携帯電話回線へ接続する
通信方法。
【請求項８】
無線ＬＡＮ通信が行える第１通信装置を、無線ＬＡＮ通信が行えるとともにインターネット接続可能な携帯電話回線に接続できる第２通信装置を経由して、インターネットに接続させる通信方法であって、
クライアントモードで動作する前記第２通信装置が、アクセスポイントモードで動作している前記第１通信装置に対して、無線ＬＡＮ通信によって、前記第１通信装置が前記第２通信装置へ接続するための接続情報を通知し、
前記第１通信装置が、前記接続情報の通知を受けた後に、アクセスポイントモードからクライアントモードに切り替わり、
前記第１通信装置が、前記接続情報を用いて、アクセスポイントモードで動作する前記第２通信装置に接続し、前記第２通信装置経由でインターネットに接続する
通信方法。
【請求項９】
アクセスポイントモードで動作する通信装置であって、
インターネット接続可能な携帯電話回線に接続できる他の通信装置との間で無線ＬＡＮ通信を行うための無線ＬＡＮ通信部と、
ＤＨＣＰ（Ｄｙｎａｍｉｃ  Ｈｏｓｔ  Ｃｏｎｆｉｇｕｒａｔｉｏｎ  Ｐｒｏｔｏｃｏｌ）パケットを、無線ＬＡＮ通信で、前記他の通信装置へ送信するＤＨＣＰサーバと、
を備え、
前記ＤＨＣＰサーバが無線ＬＡＮ通信で前記第２通信装置へ送信する前記ＤＨＣＰパケットは、前記第２通信装置に割り当てられるＩＰアドレスを含むが、デフォルトゲートウェイアドレスを含まず、
前記ＤＨＣＰパケットは、デフォルトゲートウェイアドレスを含まないことで、前記他の通信装置が無線ＬＡＮ通信によってデフォルトゲートウェイアドレスの指定を受けていない状態にして、前記他の通信装置が無線ＬＡＮ通信を行いつつも、インターネット接続可能な携帯電話回線へ接続できるようにするためのものである
通信装置。
【請求項１０】
通信装置であって、
インターネット接続可能な携帯電話回線に接続できる他の通信装置との間で無線ＬＡＮ通信を行うための無線ＬＡＮ通信部を備え、
無線ＬＡＮアクセスポイントとして機能するためのアクセスポイントモード、及び無線ＬＡＮアクセスポイントにアクセスするためのクライアントモードのいずれでも動作可能に構成されているとともに、初期設定において実行されるモードが、前記アクセスポイントモードであり、
アクセスポイントモードで動作しているときに、前記他の基地局装置から、無線ＬＡＮ通信によって、前記他の通信装置へ接続するための接続情報の通知を受けると、アクセスポイントモードからクライアントモードに切り替わり、前記接続情報を用いて、アクセスポイントモードで動作する前記第２通信装置に接続するよう構成されている
通信装置。
【請求項１１】
通信装置であって、
他の通信装置との間で無線ＬＡＮ通信を行うための無線ＬＡＮ通信部と、
携帯電話回線に接続するための携帯電話回線通信部と、を備え、
無線ＬＡＮアクセスポイントとして機能するためのアクセスポイントモードで動作している前記他の通信装置に対して、無線ＬＡＮ通信によって、前記他の通信装置が前記通信装置へ接続するための接続情報を通知するよう構成され、
前記接続情報の通知後に、アクセスポイントモードに切り替わり、前記接続情報の通知を受けた前記他の通信装置からの接続が可能な状態になるよう構成されている
通信装置。
【請求項１２】
アクセスポイントモードで動作するとともに、インターネット接続可能な携帯電話回線に接続できる他の通信装置との間で無線ＬＡＮ通信を行うための無線ＬＡＮ通信部を備えた通信装置、に搭載されたコンピュータを、
ＤＨＣＰ（Ｄｙｎａｍｉｃ  Ｈｏｓｔ  Ｃｏｎｆｉｇｕｒａｔｉｏｎ  Ｐｒｏｔｏｃｏｌ）パケットを、無線ＬＡＮ通信で、前記他の通信装置へ送信するＤＨＣＰサーバとして機能させるためのコンピュータプログラムであって、
前記ＤＨＣＰサーバが無線ＬＡＮ通信で前記第２通信装置へ送信する前記ＤＨＣＰパケットは、前記第２通信装置に割り当てられるＩＰアドレスを含むが、デフォルトゲートウェイアドレスを含まず、
前記ＤＨＣＰパケットは、デフォルトゲートウェイアドレスを含まないことで、前記他の通信装置が無線ＬＡＮ通信によってデフォルトゲートウェイアドレスの指定を受けていない状態にして、前記他の通信装置が無線ＬＡＮ通信を行いつつも、インターネット接続可能な携帯電話回線へ接続できるようにするための
コンピュータプログラム。
【請求項１３】
インターネット接続可能な携帯電話回線に接続できる他の通信装置との間で無線ＬＡＮ通信を行うための無線ＬＡＮ通信部を備えた通信装置、に搭載されたコンピュータを、
無線ＬＡＮアクセスポイントとして機能するためのアクセスポイントモード、及び無線ＬＡＮアクセスポイントにアクセスするためのクライアントモードのいずれでも動作可能に構成されているとともに、初期設定におけるモードが、前記アクセスポイントモードであり、
アクセスポイントモードで動作しているときに、前記他の基地局装置から、無線ＬＡＮ通信によって、前記他の通信装置へ接続するための接続情報の通知を受けると、アクセスポイントモードからクライアントモードに切り替わり、前記接続情報を用いて、アクセスポイントモードで動作する前記第２通信装置に接続する装置として機能させるための
コンピュータプログラム。
【請求項１４】
他の通信装置との間で無線ＬＡＮ通信を行うための無線ＬＡＮ通信部と、携帯電話回線に接続するための携帯電話回線通信部と、を備えた通信装置、に搭載されたコンピュータを、
無線ＬＡＮアクセスポイントとして機能するためのアクセスポイントモードで動作している前記他の通信装置に対して、無線ＬＡＮ通信によって、前記他の通信装置が前記通信装置へ接続するための接続情報を通知するよう構成され、
前記接続情報の通知後に、アクセスポイントモードに切り替わり、前記接続情報の通知を受けた前記他の通信装置からの接続が可能な状態になるよう構成された装置として機能させるための
コンピュータプログラム。
【発明の詳細な説明】
【技術分野】
【０００１】
本発明は、通信システム、通信方法、通信装置、及びコンピュータプログラムに関するものである。
【背景技術】
【０００２】
特許文献１には、サーバからソフトウェアを取得するインターネット端末が開示されている。
【先行技術文献】
【特許文献】
【０００３】
【特許文献１】特開平１１−２６５２７９号公報
【発明の概要】
【発明が解決しようとする課題】
【０００４】
さて、ネットワーク接続されていない通信装置を、インターネットに接続させるには、スマートフォンのように携帯電話回線を介してインターネット接続可能な別の通信装置を利用することが考えられる。
例えば、スマートフォンのテザリング（Ｔｅｔｈｅｒｉｎｇ）機能を利用すると、インターネット接続させたい通信装置（以下、単に「通信装置」という）を、スマートフォン経由で、インターネット（ＷＡＮ）に接続させることができる。
【０００５】
しかし、スマートフォンのテザリング機能を利用する場合において、通信装置とスマートフォンとを無線ＬＡＮで接続させようとすると、通信装置が、無線ＬＡＮアクセスポイントとしてのスマートフォンに対して接続する必要がある。
通信装置がスマートフォンに対して接続するには、ユーザは、通信装置に対して、スマートフォンのＳＳＩＤ（ネットワーク名）及びパスワードの入力を行う必要がある。
通信装置は、入力されたスマートフォンのＳＳＩＤ（ネットワーク名）及びパスワード（ＷＰＡキー）を用いてスマートフォンに接続することになる。
【０００６】
上述のように、通信装置を、無線アクセスポイントとしてのスマートフォンに接続させるには、その通信装置は、ＳＳＩＤ及びパスワードの入力を受け付けるための入力インタフェースを備えている必要がある。
しかし、通信装置によっては、入力インタフェースを備えていない場合もあり、ユーザが通信装置にＳＳＩＤなどを入力できるとは限らない。
【０００７】
そこで、通信装置を、スマートフォンに無線接続させるのではなく、逆に、スマートフォンを、通信装置に無線接続させることが考えられる。スマートフォンは、入力インタフェースを有しているため、ユーザは、確実に、通信装置のＳＳＩＤ及びパスワードをスマートフォンに入力することができる。
【０００８】
しかし、スマートフォンは、無線ＬＡＮに接続すると、携帯電話回線への接続ができなくなるように構成されている。
したがって、スマートフォンを無線ＬＡＮ経由で通信装置に接続させると、スマートフォンはインターネットに接続することができなくなる。したがって、例えば、通信装置が、スマートフォン経由で、インターネット上のサーバから、ソフトウェアをダウンロードするといったことが行えなくなる。
【０００９】
本発明は、上述のような問題を解消すべくなされたものである。
【課題を解決するための手段】
【００１０】
ある観点からみた本発明は、無線ＬＡＮ通信が行える第１通信装置と、前記第１通信装置との間で無線ＬＡＮ通信が行えるとともにインターネット接続可能な携帯電話回線に接続できる第２通信装置と、を備え、前記第１通信装置は、無線ＬＡＮアクセスポイントとして機能するためのアクセスポイントモードで動作するよう構成され、前記第１通信装置は、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）パケットを、無線ＬＡＮ通信で前記第２通信装置へ送信するＤＨＣＰサーバを更に備え、前記第２通信装置は、無線ＬＡＮ及び携帯電話回線のいずれによる通信でもデフォルトゲートウェイアドレスの指定を受けることができるよう構成されているとともに、無線ＬＡＮ通信においてデフォルトゲートウェイアドレスの指定を受けると、携帯電話回線による通信を行わず、無線ＬＡＮ通信を行うよう構成され、前記ＤＨＣＰサーバが無線ＬＡＮ通信で前記第２通信装置へ送信する前記ＤＨＣＰパケットは、前記第２通信装置に割り当てられるＩＰアドレスを含むが、デフォルトゲートウェイアドレスを含まず、前記ＤＨＣＰパケットによってＩＰアドレスの割り当てを受けた前記第２通信装置は、デフォルトゲートウェイアドレスの指定を受けていないことで、無線ＬＡＮ通信を行いつつ、インターネット接続可能な携帯電話回線へ接続するようになる通信システムである。
【００１１】
他の観点からみた本発明は、無線ＬＡＮ通信が行える第１通信装置と、前記第１通信装置との間で無線ＬＡＮ通信が行えるとともにインターネット接続可能な携帯電話回線に接続できる第２通信装置と、を備え、前記第１通信装置は、無線ＬＡＮアクセスポイントとして機能するためのアクセスポイントモード、及び無線ＬＡＮアクセスポイントにアクセスするためのクライアントモードのいずれでも動作可能に構成されているとともに、初期設定において実行されるモードが、前記アクセスポイントモードであり、前記第２通信装置は、無線ＬＡＮアクセスポイントとして機能するためのアクセスポイントモード、及び無線ＬＡＮアクセスポイントにアクセスするためのクライアントモードのいずれでも動作可能に構成され、クライアントモードで動作する前記第２通信装置は、アクセスポイントモードで動作している前記第１通信装置に対して、無線ＬＡＮ通信によって、前記第１通信装置が前記第２通信装置へ接続するための接続情報を通知するよう構成され、前記第１通信装置は、前記接続情報の通知を受けた後に、アクセスポイントモードからクライアントモードに切り替わり、前記接続情報を用いて、アクセスポイントモードで動作する前記第２通信装置に接続し、前記第２通信装置経由でインターネットに接続するよう構成されている通信システムである。
【００１２】
なお、本発明は、上記観点からのものに限られず、実施形態に示す観点から把握することもできる。例えば、本発明は、通信方法として捉えることもできるし、各通信装置として捉えることもできる。また、各通信装置の機能を実現するためのコンピュータプログラム又はコンピュータプログラムが記録された記録媒体として捉えることもできる。
【発明の効果】
【００１３】
本発明によれば、第１通信装置を、第２通信装置を介してインターネット接続させることができる。
【図面の簡単な説明】
【００１４】
【図１】通信システムの全体構成図である。
【図２】車載器の構成図である。
【図３】携帯端末の構成図である。
【図４】第１実施形態に係る手順を示すフローチャートである。
【図５】ＤＨＣＰパケットの説明図である。
【図６】第２実施形態に係る手順を示すフローチャートである。
【図７】ＣＡＮ情報変換テーブルに関する処理手順を示すフローチャートである。
【発明を実施するための形態】
【００１５】
［実施形態の要旨］
本発明の実施形態の要旨としては、少なくとも以下のものが含まれる。
（１）無線ＬＡＮ通信が行える第１通信装置と、前記第１通信装置との間で無線ＬＡＮ通信が行えるとともにインターネット接続可能な携帯電話回線に接続できる第２通信装置と、を備え、前記第１通信装置は、無線ＬＡＮアクセスポイントとして機能するためのアクセスポイントモードで動作するよう構成され、前記第１通信装置は、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）パケットを、無線ＬＡＮ通信で前記第２通信装置へ送信するＤＨＣＰサーバを更に備え、前記第２通信装置は、無線ＬＡＮ及び携帯電話回線のいずれによる通信でもデフォルトゲートウェイアドレスの指定を受けることができるよう構成されているとともに、無線ＬＡＮ通信においてデフォルトゲートウェイアドレスの指定を受けると、携帯電話回線による通信を行わず、無線ＬＡＮ通信を行うよう構成され、前記ＤＨＣＰサーバが無線ＬＡＮ通信で前記第２通信装置へ送信する前記ＤＨＣＰパケットは、前記第２通信装置に割り当てられるＩＰアドレスを含むが、デフォルトゲートウェイアドレスを含まず、前記ＤＨＣＰパケットによってＩＰアドレスの割り当てを受けた前記第２通信装置は、デフォルトゲートウェイアドレスの指定を受けていないことで、無線ＬＡＮ通信を行いつつ、インターネット接続可能な携帯電話回線へ接続するようになる通信システム。
【００１６】
上記（１）の通信システムによれば、第２通信装置は、無線ＬＡＮ通信においてデフォルトゲートウェイアドレスの指定を受けると、携帯電話回線による通信を行わず、無線ＬＡＮ通信を行うよう構成されている。しかし、第２通信装置は、ＩＰアドレスの割り当てを受けても、デフォルトゲートウェイアドレスの指定を受けることがないため、無線ＬＡＮ通信を行いつつ、インターネット接続可能な携帯電話回線へ接続することができる。
【００１７】
（２）無線ＬＡＮ通信が行える第１通信装置と、前記第１通信装置との間で無線ＬＡＮ通信が行えるとともにインターネット接続可能な携帯電話回線に接続できる第２通信装置と、を備え、前記第１通信装置は、無線ＬＡＮアクセスポイントとして機能するためのアクセスポイントモード、及び無線ＬＡＮアクセスポイントにアクセスするためのクライアントモードのいずれでも動作可能に構成されているとともに、初期設定において実行されるモードが、前記アクセスポイントモードであり、前記第２通信装置は、無線ＬＡＮアクセスポイントとして機能するためのアクセスポイントモード、及び無線ＬＡＮアクセスポイントにアクセスするためのクライアントモードのいずれでも動作可能に構成され、クライアントモードで動作する前記第２通信装置は、アクセスポイントモードで動作している前記第１通信装置に対して、無線ＬＡＮ通信によって、前記第１通信装置が前記第２通信装置へ接続するための接続情報を通知するよう構成され、前記第１通信装置は、前記接続情報の通知を受けた後に、アクセスポイントモードからクライアントモードに切り替わり、前記接続情報を用いて、アクセスポイントモードで動作する前記第２通信装置に接続し、前記第２通信装置経由でインターネットに接続するよう構成されている通信システム。
【００１８】
上記（２）の通信システムによれば、クライアントモードで動作する第２通信装置が、アクセスポイントモードで動作する第１通信装置に対して、第２通信装置へ接続するための接続情報を通知することができる。
そして、第１通信装置は、アクセスポイントモードからクライアントモードに切り替わることで、アクセスポイントモードで動作する第２通信装置に接続することができる。第１通信装置は、アクセスポイントモードで動作する第２通信装置に接続すれば、第２通信装置のテザリング機能などを使って、第２通信装置経由でインターネットに接続することができる。
【００１９】
（３）前記第１通信装置は、クライアントモードに切り替わっても前記第２通信装置への接続が成功しない場合には、アクセスポイントモードに戻るよう構成されている前記（２）の通信システム。この場合、第１通信装置がクライアントモードに切り替わっても第２通信装置への接続が成功しない場合、アクセスポイントモードに戻るため、クライアントモードの第２通信装置との間で再び通信を行うことができる。
【００２０】
（４）前記第１通信装置は、車載ネットワークに接続された車載器である前記（１）〜（３）のいずれか１項に記載の通信システム。この場合、車載ネットワークに接続された第１通信装置をインターネット接続することができる。
【００２１】
（５）前記第１通信装置は、前記車載ネットワークから受信した受信情報を、前記第２通信装置による処理に適合させるために変換する変換テーブルを用いて変換し、変換された受信情報を前記第２処理装置へ送信する前記（４）記載の通信システム。この場合、第１通信装置は、車載ネットワークから受信した情報を前記第２通信装置による処理に適合させることができる。
【００２２】
（６）前記第１通信装置は、前記車載器が搭載された車両の種類に応じた前記変換テーブルを、前記第２通信装置を経由して、インターネット上のサーバから取得するよう構成されている前記（５）の通信システム。この場合、変換テーブルをインターネット上のサーバから取得することができる。
【００２３】
（７）無線ＬＡＮ通信が行える第１通信装置を、無線ＬＡＮ通信が行えるとともにインターネット接続可能な携帯電話回線に接続できる第２通信装置を経由して、インターネットに接続させる通信方法であって、前記第１通信装置が、無線ＬＡＮアクセスポイントとして機能するためのアクセスポイントモードで動作し、前記第１通信装置が、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）パケットを、無線ＬＡＮ通信で前記第２通信装置へ送信する、ことを含み、前記第２通信装置は、無線ＬＡＮ及び携帯電話回線のいずれによる通信でもデフォルトゲートウェイアドレスの指定を受けることができるよう構成されているとともに、無線ＬＡＮ通信においてデフォルトゲートウェイアドレスの指定を受けると、携帯電話回線による通信を行わず、無線ＬＡＮ通信を行うよう構成され、前記第１通信装置が、無線ＬＡＮ通信で前記第２通信装置へ送信する前記ＤＨＣＰパケットは、前記第２通信装置に割り当てられるＩＰアドレスを含むが、デフォルトゲートウェイアドレスを含まず、前記ＤＨＣＰパケットによってＩＰアドレスの割り当てを受けた前記第２通信装置が、デフォルトゲートウェイアドレスの指定を受けていないことで、無線ＬＡＮ通信を行いつつ、インターネット接続可能な前記携帯電話回線へ接続する通信方法。
【００２４】
（８）無線ＬＡＮ通信が行える第１通信装置を、無線ＬＡＮ通信が行えるとともにインターネット接続可能な携帯電話回線に接続できる第２通信装置を経由して、インターネットに接続させる通信方法であって、クライアントモードで動作する前記第２通信装置が、アクセスポイントモードで動作している前記第１通信装置に対して、無線ＬＡＮ通信によって、前記第１通信装置が前記第２通信装置へ接続するための接続情報を通知し、前記第１通信装置が、前記接続情報の通知を受けた後に、アクセスポイントモードからクライアントモードに切り替わり、前記第１通信装置が、前記接続情報を用いて、アクセスポイントモードで動作する前記第２通信装置に接続し、前記第２通信装置経由でインターネットに接続する通信方法。
【００２５】
（９）アクセスポイントモードで動作する通信装置であって、インターネット接続可能な携帯電話回線に接続できる他の通信装置との間で無線ＬＡＮ通信を行うための無線ＬＡＮ通信部と、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）パケットを、無線ＬＡＮ通信で、前記他の通信装置へ送信するＤＨＣＰサーバと、を備え、前記ＤＨＣＰサーバが無線ＬＡＮ通信で前記第２通信装置へ送信する前記ＤＨＣＰパケットは、前記第２通信装置に割り当てられるＩＰアドレスを含むが、デフォルトゲートウェイアドレスを含まず、前記ＤＨＣＰパケットは、デフォルトゲートウェイアドレスを含まないことで、前記他の通信装置が無線ＬＡＮ通信によってデフォルトゲートウェイアドレスの指定を受けていない状態にして、前記他の通信装置が無線ＬＡＮ通信を行いつつも、インターネット接続可能な携帯電話回線へ接続できるようにするためのものである通信装置。
【００２６】
（１０）通信装置であって、インターネット接続可能な携帯電話回線に接続できる他の通信装置との間で無線ＬＡＮ通信を行うための無線ＬＡＮ通信部を備え、無線ＬＡＮアクセスポイントとして機能するためのアクセスポイントモード、及び無線ＬＡＮアクセスポイントにアクセスするためのクライアントモードのいずれでも動作可能に構成されているとともに、初期設定におけるモードが、前記アクセスポイントモードであり、アクセスポイントモードで動作しているときに、前記他の基地局装置から、無線ＬＡＮ通信によって、前記他の通信装置へ接続するための接続情報の通知を受けると、アクセスポイントモードからクライアントモードに切り替わり、前記接続情報を用いて、アクセスポイントモードで動作する前記第２通信装置に接続するよう構成されている通信装置。
【００２７】
（１１）通信装置であって、他の通信装置との間で無線ＬＡＮ通信を行うための無線ＬＡＮ通信部と、携帯電話回線に接続するための携帯電話回線通信部と、を備え、無線ＬＡＮアクセスポイントとして機能するためのアクセスポイントモードで動作している前記他の通信装置に対して、無線ＬＡＮ通信によって、前記他の通信装置が前記通信装置へ接続するための接続情報を通知するよう構成され、前記接続情報の通知後に、アクセスポイントモードに切り替わり、前記接続情報の通知を受けた前記他の通信装置からの接続が可能な状態になるよう構成されている通信装置。
【００２８】
（１２）アクセスポイントモードで動作するとともに、インターネット接続可能な携帯電話回線に接続できる他の通信装置との間で無線ＬＡＮ通信を行うための無線ＬＡＮ通信部を備えた通信装置、に搭載されたコンピュータを、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）パケットを、無線ＬＡＮ通信で、前記他の通信装置へ送信するＤＨＣＰサーバとして機能させるためのコンピュータプログラムであって、前記ＤＨＣＰサーバが無線ＬＡＮ通信で前記第２通信装置へ送信する前記ＤＨＣＰパケットは、前記第２通信装置に割り当てられるＩＰアドレスを含むが、デフォルトゲートウェイアドレスを含まず、前記ＤＨＣＰパケットは、デフォルトゲートウェイアドレスを含まないことで、前記他の通信装置が無線ＬＡＮ通信によってデフォルトゲートウェイアドレスの指定を受けていない状態にして、前記他の通信装置が無線ＬＡＮ通信を行いつつも、インターネット接続可能な携帯電話回線へ接続できるようにするためのコンピュータプログラム。
【００２９】
（１３）インターネット接続可能な携帯電話回線に接続できる他の通信装置との間で無線ＬＡＮ通信を行うための無線ＬＡＮ通信部を備えた通信装置、に搭載されたコンピュータを、無線ＬＡＮアクセスポイントとして機能するためのアクセスポイントモード、及び無線ＬＡＮアクセスポイントにアクセスするためのクライアントモードのいずれでも動作可能に構成されているとともに、初期設定において実行されるモードが、前記アクセスポイントモードであり、アクセスポイントモードで動作しているときに、前記他の基地局装置から、無線ＬＡＮ通信によって、前記他の通信装置へ接続するための接続情報の通知を受けると、アクセスポイントモードからクライアントモードに切り替わり、前記接続情報を用いて、アクセスポイントモードで動作する前記第２通信装置に接続する装置として機能させるためのコンピュータプログラム。
【００３０】
（１４）他の通信装置との間で無線ＬＡＮ通信を行うための無線ＬＡＮ通信部と、携帯電話回線に接続するための携帯電話回線通信部と、を備えた通信装置、に搭載されたコンピュータを、無線ＬＡＮアクセスポイントとして機能するためのアクセスポイントモードで動作している前記他の通信装置に対して、無線ＬＡＮ通信によって、前記他の通信装置が前記通信装置へ接続するための接続情報を通知するよう構成され、前記接続情報の通知後に、アクセスポイントモードに切り替わり、前記接続情報の通知を受けた前記他の通信装置からの接続が可能な状態になるよう構成された装置として機能させるためのコンピュータプログラム。
【００３１】
［実施形態の詳細］
【００３２】
以下、本発明の好ましい実施形態について図面を参照しながら説明する。
［第１実施形態］
図１は、通信システムの概要を示している。この通信システムは、車両３００に搭載された車載器（第１通信装置）１をインターネット（ＷＡＮ）２００に接続させるためのものである。本通信システムにおいて、車載器（第１通信装置）１は、スマートフォンなどの携帯端末（第２通信装置）２を介して、インターネット２００に接続される。
【００３３】
車両３００は、車載ネットワーク（ＣＡＮ；Ｃｏｎｔｒｏｌｌｅｒ  Ａｒｅａ  Ｎｅｔｗｏｒｋ）を備えている。車載器１は、ケーブル１３０を介して、車載ネットワークに接続されている。
【００３４】
図２に示すように、車載器１は、制御部１１、記憶部１２、ＣＡＮインタフェース（車載ネットワーク通信部）１３、及び、無線ＬＡＮ通信部（第１無線ＬＡＮ通信部）１４を備えている。
制御部１１は、コンピュータを有して構成されている。制御部１１は、ＣＡＮ（車載ネットワーク）通信の制御、無線ＬＡＮ通信の制御、インターネット通信の制御などを行う通信制御部１１ａとしての機能のほか、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバとしての機能を有している。ＤＨＣＰサーバは、インターネットに接続しようとする通信装置（コンピュータ）に対して、ＩＰアドレスなどの情報を割り当てるためのものである。
【００３５】
制御部１１の各種の機能は、コンピュータが、記憶部１２に記憶されたコンピュータプログラムを実行することにより実行される。なお、制御部１１は、１つのコンピュータから構成されているものに限らず、複数のコンピュータから構成されるものであってもよい。
【００３６】
記憶部１２は、前述のコンピュータプログラムを記憶しているほか、後述の変換テーブル１２ａを記憶することができる。また、記憶部１２は、後述の接続情報を記憶するための接続情報記憶部１２ｂとしての機能も有している。
ＣＡＮインタフェース１３は、ＣＡＮ規格に適合したケーブル１３０を介して、車両３００に搭載された各ＥＣＵ（Ｅｌｅｃｔｒｏｎｉｃ  Ｃｏｎｔｒｏｌ  Ｕｎｉｔ）１３１，１３２，１３３に接続されている。ＥＣＵ１３１，１３２，１３３は、エンジン制御などの車両の各種制御を行う。
車載器１は、各ＥＣＵ１３１，１３２，１３３に対する指令を通知したり、各ＥＣＵ１３，１３２，１３３から各種の情報（ＣＡＮ情報；車両情報）を受信したりすることができる。そして、車載器１は、ＣＡＮ情報を、インターネット２００上のサーバに送信することができる。つまり、車載器１は、車載ネットワークが外部ネットワークと通信するための通信アダプタとして機能する。また、車載器１は、車載ネットワークを制御するためのソフトウェアを、インターネット２００上のサーバからダウンロードすることができる。
【００３７】
無線ＬＡＮ通信部１４は、無線ＬＡＮ（ＷｉＦｉ）による通信を行うことができる。車載機１の無線ＬＡＮ通信部１４は、携帯端末２と無線通信を行うために用いられる。
【００３８】
本実施形態の車載器１は、ユーザが車載器１に対する直接的に操作するような入力インタフェース（スイッチ、キーボード又はその他の操作部）を有していない。したがって、ユーザ（車両の運転手等）が、車載器１に対して、直接的に、情報（携帯端末２のＳＳＩＤ及びＷＰＡキーなど）を入力することができない。
なお、車載器１は入力インタフェースを有していても良い。
【００３９】
図３に示すように、携帯端末２は、制御部２１、無線通信部２２、記憶部２３、及び入出力部２４を備えている。
【００４０】
無線通信部２２は、携帯電話回線通信部２２ａと無線ＬＡＮ通信部（第２無線ＬＡＮ通信部）２２ｂとを備えている。携帯電話回線通信部２２ａは、３Ｇ回線などの携帯電話回線に接続するためのものである。携帯電話回線通信部２２ａは、携帯電話回線用の基地局２０１との無線通信を行う。３Ｇなどの携帯電話回線は、電話だけでなく、インターネット２００への接続も可能である。
つまり、携帯端末２は、携帯電話回線通信部２２ａによる通信によって、インターネット接続が可能である。
【００４１】
無線ＬＡＮ通信部２２ｂは、無線ＬＡ（ＷｉＦｉ）による通信を行うことができる。携帯端末２の無線ＬＡＮ通信部２２ｂは、車載器１と無線通信を行うために用いられる。
【００４２】
入出力部２４は、例えば、タッチパネルによって構成されており、情報の表示と、ユーザによる情報の入力と、を行うことができる。このように、携帯端末２は、入出力部（入力インタフェース）２４を備えているため、ユーザは、車載器１のＳＳＩＤなどの情報の入力を、携帯端末２に対して行うことができる。
【００４３】
携帯端末２の制御部２１は、コンピュータを有して構成されている。制御部２１は、記憶部２３に記憶されたオペレーティングシステム（コンピュータプログラム）及びアプリケーション（コンピュータプログラム）の実行によって様々な機能を実現することができる。
携帯端末２のオペレーティングシステムとしては、スマートフォン用の一般的なオペレーティングシステム（例えば、ｉＯＳ（登録商標）又はＡｎｄｒｏｉｄ（登録商標））を採用することができる。
【００４４】
記憶部２３には、オペレーティングシステムのほか、各種のアプリケーションが記憶されており、例えば、通信用アプリケーション及び表示用アプリケーションが記憶されている。
【００４５】
携帯端末２が、インターネットに接続する場合、デフォルトゲートウェイアドレス及びＤＮＳ（Ｄｏｍａｉｎ  Ｎａｍｅ  Ｓｙｓｔｅｍ）サーバアドレスが、携帯端末２に設定される必要がある。携帯端末２（のオペレーティングシステム）は、携帯端末２が、基地局２０１の通信エリア（セル）内に在圏した状態になると、デフォルトゲートウェイアドレス及びＤＮＳサーバアドレスの指定を、携帯電話回線を通じて受けるよう構成されている。
【００４６】
また、携帯端末２（のオペレーティングシステム）は、デフォルトゲートウェイアドレス及びＤＮＳサーバアドレスの指定を、無線ＬＡＮ通信によっても受けることができるよう構成されている。
【００４７】
携帯端末２（のオペレーティングシステム）は、テザリング（Ｔｅｔｈｅｒｉｎｇ）機能を有しており、インターネット接続させたい通信装置（例えば、本実施形態の車載器１）を、携帯端末２経由で、インターネットに接続させることができる。
車載器１をインターネット接続させるために、携帯端末２のテザリング機能を利用する場合、一般的なテザリング機能を前提にすると、インターネット接続させたい通信装置（クライアント）が、無線ＬＡＮアクセスポイントとしての携帯端末２に対して、無線接続（ＷｉＦｉ接続）する必要がある。
【００４８】
無線ＬＡＮアクセスポイントにアクセスしようとする通信装置（車載器１）には、そのアクセスポイントのＳＳＩＤ（ネットワーク名）及びパスワード（暗号鍵；ＷＰＡキーなど）が入力される必要がある。しかし、前述のように、本実施形態の車載器１は、入力インタフェースを備えないため、ユーザは、無線ＬＡＮアクセスポイントとしての携帯端末２のＳＳＩＤ及びパスワードを、車載器１に入力することができない。
【００４９】
そこで、第１実施形態においては、携帯端末２が無線ＬＡＮアクセスポイントになるのではなく、車載器１が無線ＬＡＮアクセスポイントとなる。つまり、クライアントとしての携帯端末２が、無線ＬＡＮアクセスポイントとしての車載器１に対して無線接続する。車載器１は、無線ＬＡＮアクセスポイントとして機能するため、アクセスポイントモードで動作するように初期設定されている。
なお、スマートフォンのような携帯端末２は、無線ＬＡＮアクセスポイントとして機能するアクセスポイントモード及び無線ＬＡＮクライアントとして機能するクライアントモードのいずれでも動作可能に構成されている。いずれのモードで動作するかは、ユーザ操作又は携帯端末２のアプリケーションによる指令によって切り替えることができる。
【００５０】
図４は、車載器１がインターネット接続するための手順に関する第１実施形態を示している。
ＩＰプロトコルを用いたネットワーク通信を行うため、車載器１及び携帯端末（スマートフォン）２それぞれにはＩＰアドレスが付与される必要がある。
そこで、本実施形態の車載器１には、ＩＰアドレスを割り当てるためのＤＨＣＰサーバ１１ｂが搭載されている。
【００５１】
まず、図４に示すように、車載器１の通信制御部１１ａ及び携帯端末２は、ＤＨＣＰに従った手順によって、ＤＨＣＰサーバ１１ｂから、ＩＰアドレスの割り当てを受ける（ステップＳ１〜Ｓ４）。より具体的には、通信制御部１１ａは、ＤＨＣＰ  Ｄｉｓｃｏｖｅｒメッセージ（ＩＰアドレス要求メッセージ）を送信する（ステップＳ１）。ＤＨＣＰ  Ｄｉｓｃｏｖｅｒメッセージを受信したＤＨＣＰサーバ１１ｂは、通信制御部１１ａに対して、ＤＨＣＰ  Ｏｆｆｅｒメッセージを送信し、ＩＰアドレスの割り当てを行う（ステップＳ２）。
【００５２】
さらに、携帯端末２も、ＤＨＣＰ  Ｄｉｓｃｏｖｅｒメッセージ（ＩＰアドレス要求メッセージ）を送信する（ステップＳ２）。ＤＨＣＰ  Ｄｉｓｃｏｖｅｒメッセージを受信したＤＨＣＰサーバ１１ｂは、携帯端末２に対して、ＤＨＣＰ  Ｏｆｆｅｒメッセージを送信し、ＩＰアドレスの割り当てを行う（ステップＳ４）。
【００５３】
ここで、スマートフォンのような携帯端末２（のオペレーティングシステム）は、無線ＬＡＮアクセスポイントに対して接続する場合、無線ＬＡＮアクセスポイントからＩＰアドレスの割り当てを受けるだけでなく、デフォルトゲートウェイアドレス及びＤＮＳサーバアドレスの指定も受けるよう構成されている。
したがって、スマートフォンのような携帯端末２が接続する無線ＬＡＮアクセスポイントのＤＨＣＰサーバは、スマートフォンに対するＩＰアドレスの割り当てだけでなく、デフォルトゲートウェイアドレス及びＤＮＳサーバアドレスの指定も行うのが一般的である。つまり、ＤＨＣＰサーバが送信する通常のＤＨＣＰパケット（ＤＨＣＰ  Ｏｆｆｅｒメッセージ）は、図５（ａ）に示すように、クライアントに割り当てるＩＰアドレスのほか、ＤＮＳサーバアドレス及びデフォルトゲートウェイアドレスを含むべきである。
【００５４】
これに対して、本実施形態では、無線ＬＡＮアクセスポイントとなる車載器１に設けられたＤＨＣＰサーバ１１ｂが、クライアントである携帯端末２に送信するＤＨＣＰパケット（ＤＨＣＰ  Ｏｆｆｅｒメッセージ；ステップＳ４）には、クライアントである携帯端末２に割り当てられるＩＰアドレスは含むが、ＤＮＳサーバアドレス及びデフォルトゲートウェイアドレスは含んでいない（図５（ｂ）参照）。
この結果、クライアントである携帯端末２は、ＩＰアドレスの割り当ては受けるが、ＤＮＳサーバアドレス及びデフォルトゲートウェイアドレスの指定は受けないことになる。
【００５５】
携帯端末２は、ＩＰアドレス割り当ての際に、デフォルトゲートウェイアドレスの指定を受けないことで、無線ＬＡＮ通信を行いつつも、携帯電話回線へ接続することができるようになる。
【００５６】
すなわち、ｉＯＳ（登録商標）又はＡｎｄｒｏｉｄ（登録商標）などのオペレーティングシステム）においては、その仕様上、デフォルトゲートウェイアドレスが無線ＬＡＮ（ＷｉＦｉ）側から指定されると、無線ＬＡＮから指定されたデフォルトゲートウェイを介してインターネット接続を行うべく、インターネット接続は無線ＬＡＮ（ＷｉＦｉ）経由となり、携帯電話回線への接続ができなくなる。
つまり、携帯端末２が基地局の通信エリア（セル）に存圏しており、携帯電話回線側から、デフォルトゲートウェイアドレスの指定を受けていても、デフォルトゲートウェイアドレスが無線ＬＡＮ（ＷｉＦｉ）側から指定されると、携帯端末２は携帯電話回線への接続が行えなくなる。
【００５７】
しかし、本実施形態では、携帯端末２は、ステップＳ４において、無線ＬＡＮ側からデフォルトゲートウェイアドレスの指定を受けないため、３Ｇ回線などの携帯電話回線が使用不可となるのを回避して、携帯電話回線を利用可能な状態が、その後も維持される。
【００５８】
そして、携帯端末２は、無線ＬＡＮ上の車載器１（の通信制御部１１ａ）を見つけるために、ＵＰｎＰ（Ｕｎｉｖｅｒｓａｌ  Ｐｌｕｇ  ａｎｄ  Ｐｌａｙ）のディスカバリ（ＳＳＤＰ；Ｓｉｍｐｌｅ  Ｓｅｒｖｉｃｅ  Ｄｉｓｃｏｖｅｒｙ  Ｐｒｏｔｏｃｏｌ）を行う（ステップＳ５）。車載器１（の通信制御部１１ａ）は、自身のＩＰアドレス等の情報を、ＳＳＤＰの応答として、携帯端末２へ送信する（ステップＳ６）。
【００５９】
これにより、携帯端末２からみて無線ＬＡＮ上の車載器１が認識できる状態になり、携帯端末２の画面（入出力部２４）に車載器１のＳＳＩＤが表示される。ここで、本実施形態の車載器１のＳＳＩＤ及びパスワード（ＷＰＡキー）は、車載器１の筐体に貼付されたラベル１ａに表示されている。したがって、ユーザは、携帯端末２の画面に表示されたＳＳＩＤ（ネットワーク名）のうち、ラベル１ｂに表示されたＳＳＩＤに対応するＳＳＩＤを選択し、パスワードを携帯端末２へ入力することで、車載器１（の通信制御部１１ａ）と携帯端末２との間の無線ＬＡＮ通信が可能となる（車載器１と携帯端末２との間の通信セッション確立）。
なお、携帯端末２は、入出力部２４を備えているため、パスワードの入力などの操作は容易に行える。また、上記の説明では、表示されたＳＳＩＤを選択する方法を説明したが、ＳＳＩＤを携帯端末２に入力するようにしてもよい。
【００６０】
そして、携帯端末２は、携帯電話回線を利用可能な状態が維持されているのは前述のとおりであるから、携帯端末２は、無線ＬＡＮと携帯電話回線の双方での通信を同時に行えるようになる（ステップＳ７，８）。
この結果、車載器１（の通信制御部１１ａ）は、無線ＬＡＮと携帯電話回線の双方での通信を行える携帯端末２を中継器として、インターネット接続可能である。つまり、車載器１は、インターネット上のサーバ３との間の通信が可能となる。
【００６１】
ここで、本実施形態では、車載器１と携帯端末２との間の無線ＬＡＮ通信に関し、車載器１と携帯端末２との間では、様々な情報のやりとりができる。車載器１と携帯端末２との間でやりとりされる情報としては、例えば、ｉ）車両の状態（車両速度、車両の制御パラメータなど）を示す車両情報、ｉｉ）車載器１の制御情報、ｉｉｉ）車載器１のソフトウェア更新データ、などがあり、これらの情報は、それぞれ、別々に確立された通信セッションによって伝送される。
本実施形態において、各通信セッションとしては、ＴＣＰ（Ｔｒａｎｓｍｉｓｓｉｏｎ  Ｃｏｎｔｒｏｌ  Ｐｒｏｔｏｃｏｌ）又はＵＤＰ（Ｕｓｅｒ  Ｄａｔａｇｒａｍ  Ｐｒｏｔｏｃｏｌ）の２種類の通信セッションのいずれかが用いられる。ＴＣＰ及びＵＤＰは、車載器１及び携帯端末２間で送受信される情報の種類によって使い分けられる。
ＵＤＰを用いた通信セッションは、リアルタイム性が重視される情報の伝送に用いられ、例えば、前述のｉ）車両情報の伝送に用いられる。
一方、ＴＣＰを用いた通信セッションは、通信の安全・確実性が重視される情報の伝送に用いられ、例えば、前述のｉｉ）車載器１の制御情報、ｉｉｉ）車載器１のソフトウェア更新データの伝送に用いられる。
【００６２】
［２．第２実施形態］
【００６３】
図６は、車載器１がインターネット接続するための手順に関する第２実施形態を示している。第２実施形態に関し、特に説明しない点については、第１実施形態と同様である。
【００６４】
第２実施形態では、車載器１は、無線ＬＡＮアクセスポイントとして機能するアクセスポイントモード、及び、無線ＬＡＮクライアントとして機能するクライアントモードを選択的に実行可能であり、相互のモードに切り替わり可能である。ただし、車載器１の初回起動時においては、アクセスポイントモードで動作する。すなわち、図６に示すように、車載器１は、起動直後において、まず、接続情報記憶部１２ｂを参照し、後述の接続情報が記憶されているか否かを判定する（ステップＳ１１）。車載器１の初期設定では、接続情報記憶部１２ｂには接続情報が記憶されていないため、車載器１の通信制御部１１ａは、接続情報が無いと判断し、車載器１を、第１実施形態と同様にアクセスポイントモードで動作させる（ステップＳ１２）。つまり、車載器１は、初期設定においては、アクセスポイントモードを実行する。アクセスポイントモードに設定された車載器１及びクライアントモードに設定された携帯端末２は、図４に示すステップ１〜ステップＳ６と同様のステップＳ１〜Ｓ６を実行する。これらステップＳ１〜ステップＳ６によって、車載器１及び携帯端末２間の無線ＬＡＮ通信が可能であるほか、携帯端末２は、携帯電話回線による通信も可能となる。
【００６５】
そして、車載器１との間で通信セッションが確立した携帯端末２は、確立した通信セッションを用いて、車載器１（の通信制御部１１ｂ）に対して、モード切替要求を送信する（ステップＳ１４）。モード切替要求は、アクセスポイントとしての携帯端末２へ接続するための接続情報（携帯端末２のＳＳＩＤ及びパスワードなど）を含めて送信される。なお、接続情報は、モード切替要求とは別に、車載器１へ送信されてもよい。
その後、携帯端末２は、クライアントモードからアクセスポイントモードに切り替わり、無線ＬＡＮクライアントから無線ＬＡＮアクセスポイントに変化する（ステップＳ１５）。このモードの切り替わりは、携帯端末２を操作するユーザの入力によって行われてもよいし、携帯端末２の制御部２１が自動的に切り替えても良い。
【００６６】
また、モード切替要求（接続情報）を受信した車載器１は、受信した接続情報を接続情報記憶部１２ｂに保存する（ステップＳ１６）。接続情報記憶部１２ｂは、不揮発性メモリによって構成され、車載器１の電源ＯＦＦ時にも接続情報を保持できる。
【００６７】
そして、車載器１の通信制御部１１ｂは、モード切替要求を受けると、アクセスポイントモードから、クライアントモードに切り替わる処理を行う（ステップＳ１７）。
クライアントモードに切り替わった車載器１は、アクセスポイントモードに切り替わった携帯端末２に対して無線接続する（ステップＳ１８）。アクセスポイントである携帯端末２への接続に必要な接続情報（ＳＳＩＤ及びパスワード）としては、接続情報記憶部１２に保存されている接続情報が用いられる。
【００６８】
このように、第２実施形態では、車載器１がアクセスポイントで携帯端末２がクライアントとなった状態で、車載器１と携帯端末２との通信セッションを確立させておき、その通信セッションを利用して、アクセスポイントとしての携帯端末２への接続情報を、車載器１へ通知する。したがって、車載器１は、入力インタフェースを有していなくても、アクセスポイントとしての携帯端末２への接続情報を取得することができる。
その後、車載器１は、当初のアクセスポイントモードからクライアントモードに切り替わって、取得した接続情報を用いて、アクセスポイントである携帯端末２へ接続することができる。これにより、車載器１とアクセスポイントである携帯端末２との間の通信セッションが確立する（ステップＳ１９）。
車載器１がクライアントとして、アクセスポイントである携帯端末２へ接続するのであれば、携帯端末２のテザリング機能が利用可能である（ステップＳ２０）。つまり、車載器１は、携帯端末２のテザリング機能を利用して、インターネット接続可能となる。つまり、車載器１は、インターネット上のサーバ３との間の通信が可能となる。
【００６９】
また、第２実施形態の車載器１では、アクセスポイントモードからクライアントモードに切り替わり可能であるが、このモード切り替わりは、携帯端末２からのモード切替要求に応じて行われるため、ユーザによる車載器１に対するモード切替操作が不要である。したがって、本実施形態のように車載器１がユーザ入力インタフェースを備えていない場合にもモード切替が可能となっている。
【００７０】
一方、本実施形態の車載器１は、モード切替のためのユーザ入力インタフェースを有していないため、アクセスポイントモードからクライアントモードに切り替わった後に、何らかの理由によって、アクセスポイントである携帯端末２に接続できなかった場合には、再びアクセスポイントモードに復帰することができなくなる。
そこで、本実施形態の車載器１の通信制御部１１ａは、クライアントモードに切り替わっても、携帯端末２への接続が成功しない場合には（ステップＳ２１）、自動的にアクセスポイントモードに戻るように構成されている（ステップＳ２２）。車載器１は、アクセスポイントモードに戻ると、図６のステップＳ１２より後の処理を実行可能な状態に戻る。
携帯端末２への接続が成功しないことの判定は、例えば、クライアントモードに切り替わってから所定時間内に携帯端末２への接続が確立しなかったことなどによって行うことができる。
【００７１】
なお、車載器１を強制的にアクセスポイントモードに戻すために、車載器１をアクセスポイントモードに強制的に設定するユーザ入力インタフェース（モード設定用のユーザ入力部）を備えていても良い。
図６に示す以上の手順のうち、ステップＳ１２、ステップＳ１〜Ｓ６及びステップＳ１４〜ステップＳ１６は、接続情報が接続情報記憶部１２ｂに保存されていない初回起動時等においてのみ実行されるステップであり、２回目以降の起動時のように、接続情報が接続情報記憶部１２ｂに記憶されている場合、ステップＳ１１において接続情報有と判断され、車載器１は、アクセスポイントモードになることなく、クライアントモードに設定される（ステップＳ１３）。そして、車載器１は、接続情報記憶部１２ｂに保存された接続情報を用いて、アクセスポイントモードに切り替わった携帯端末２に対して無線接続することができ（ステップＳ１８）、その後のステップＳ１９〜ステップＳ２２も実行され得る。
【００７２】
［３．ＣＡＮ情報変換テーブル］
図４又は図６に示す手順で、車載器１が携帯端末２を介して、インターネット接続可能になると、車載器１は、車載ネットワークから受信したＣＡＮ情報（受信情報）を、インターネット上のサーバ３へ送信したり、携帯端末２の画面（入出力部２２）に表示したりすることができる。
ここで車載ネットワークの情報（ＣＡＮ情報）は、車種ごとに異なる。したがって、携帯端末２の画面にＣＡＮ情報を表示させようとすると、車種の違いによるＣＡＮ情報の相違を、車載器１において吸収してから、ＣＡＮ情報を携帯端末２に送信する必要がある。
そのため、実施形態に係る車載器１の通信制御部１１ａは、ＣＡＮ情報変換テーブル１２ａを用いた情報変換によって、車種の違いによるＣＡＮ情報の相違を吸収する。
【００７３】
具体的には、図７に示すように、車載器１がインターネット接続可能になると、車載器１の通信制御部１１ａは、携帯端末２経由で、サーバ３から、車載器１が搭載されている車両の車種に対応するＣＡＮ情報変換テーブル１２ａをダウンロードする（ステップＳ２１）。このＣＡＮ情報変換テーブル１２ａは、車種ごとのＣＡＮ情報を、携帯端末２が処理可能な形式のＣＡＮ情報に対応付けたものである。
【００７４】
そして、車載器１の通信制御部１１ａは、ダウンロードしたＣＡＮ情報変換テーブル１２ａを、記憶部１２に保存（インストール）する（ステップＳ２２）。
その後、車載器１の通信制御部１１ａが、車載ネットワークからＣＡＮ情報を受信すると（ステップＳ２３）、記憶部１２のＣＡＮ情報変換テーブル１２を参照して、受信したＣＡＮ情報（受信情報）を、携帯端末２が処理可能な形式のＣＡＮ情報に変換する（ステップＳ２４）。
通信制御部１１ａは、変換されたＣＡＮ情報を携帯端末２に送信する（ステップＳ２５）。携帯端末２は、受信したＣＡＮ情報を、表示用アプリケーションなどを用いて、携帯端末２の画面（入出力部２２）に表示することができる（ステップＳ２６）。また、携帯端末２は受信したＣＡＮ情報をサーバ３へ送信してもよい。
【００７５】
［４．付記］
なお、今回開示された実施形態はすべての点で例示であって制限的なものではないと考えられるべきである。本発明の範囲は、上記した意味ではなく、特許請求の範囲によって示され、特許請求の範囲と均等の意味及び範囲内での全ての変更が含まれることが意図される。
【符号の説明】
【００７６】
１  車載器（第１通信装置）
１ａ  ラベル
２  携帯端末（第２通信装置）
３  サーバ
１１  制御部
１１ａ  通信制御部
１１ｂ  ＤＨＣＰサーバ
１２  記憶部
１２ａ  変換テーブル
１２ｂ  接続情報記憶部
１３  ＣＡＮインタフェース
１４  無線ＬＡＮ通信部
２１  制御部
２２  無線通信部
２２ａ  携帯電話回線通信部
２２ｂ  無線ＬＡＮ通信部
２３  記憶部
２４  入出力部
１３０  ケーブル
１３１  ＥＣＵ
１３２  ＥＣＵ
１３３  ＥＣＵ
２０１  基地局
２００  インターネット
３００  車両
【図１】
2015126231.tif 000003
【図２】
2015126231.tif 000004
【図３】
2015126231.tif 000005
【図４】
2015126231.tif 000006
【図５】
2015126231.tif 000007
【図６】
2015126231.tif 000008
【図７】
2015126231.tif 000009